(57)【要約】【課題】部品点数を増加することなく、ユニオンナットの締め付け量を適正に管理することができる合成樹脂製管継手を提供する。【解決手段】本発明の合成樹脂製管継手１は、外周に雄ねじ部２２を有し合成樹脂製のチューブ１０の先端部に装着される合成樹脂製の継手本体２と、この継手本体２の雄ねじ部２２に締め付けられる雌ねじ部３２が内周に形成された合成樹脂製のユニオンナット３とを備えている。継手本体２の外周面２３には、径方向外側に突出する突起部５が一体に形成されている。ユニオンナット３の内周面３３ａには、ユニオンナット３が適正位置まで締め付けられた時点で突起部５に係合される凸状又は凹状の係合部６が一体に形成されている。【選択図】図１Ｂ
2014219060.tif 000002
【特許請求の範囲】
【請求項１】
外周に雄ねじ部を有し、合成樹脂製のチューブの先端部に装着される合成樹脂製の継手本体と、
前記継手本体の雄ねじ部に締め付けられる雌ねじ部が内周に形成された合成樹脂製のユニオンナットとを備えた合成樹脂製管継手であって、
前記継手本体の外周面及び前記ユニオンナットの内周面のうちの、一方の面には径方向に突出する突起部が一体に形成され、他方の面には前記ユニオンナットが適正位置まで締め付けられた時点で前記突起部に係合される凸状又は凹状の係合部が一体に形成されていることを特徴とする合成樹脂製管継手。
【請求項２】
前記雄ねじ部及び雌ねじ部が、多条ねじからなる請求項１に記載の合成樹脂製管継手。
【請求項３】
前記継手本体の外周に、前記係合部が前記突起部に係合されると同時に前記ユニオンナットの端面が当接する当接面が設けられている請求項１又は２に記載の合成樹脂製管継手。
【請求項４】
前記係合部は、前記突起部を乗り越えることで当該突起部に係合される請求項１〜３のいずれか一項に記載の合成樹脂製管継手。
【発明の詳細な説明】
【技術分野】
【０００１】
本発明は、ポンプ、バルブ、フィルタ等の流体機器や流体径路である合成樹脂製チューブの接続手段として用いられる合成樹脂製管継手に関する。
【背景技術】
【０００２】
従来より、耐薬品性等が要求される配管経路においては、フッ素樹脂等の合成樹脂からなるチューブや管継手が採用されている。このような管継手として、チューブの先端部に装着される継手本体と、この継手本体の外周に形成された雄ねじ部に締め付けられる雌ねじ部を有するユニオンナットとを備え、ユニオンナットを継手本体の外周に締め付けることで、継手本体とチューブとのシール性能を確保する構造のものが多用されている。
【０００３】
例えば、特許文献１に記載されている樹脂継手においては、特許文献１の図１に示すように、合成樹脂製管継手の合成樹脂製のチューブ（管材）１２の先端部に、内周部が流体通路とされ且つ径外側に隆起した膨出部１５を有するインナーリング（嵌合部）１３が圧入されている。インナーリング１３の膨出部１５が圧入されて拡径変形されたチューブ１２は、継手本体１の受口４に挿入されている。合成樹脂製管継手は、外周側装着される合成樹脂製の継手本体１と、この継手本体１の外周側に装着され、且つ継手本体１の外周に形成された雄ねじ部１１に螺合する雌ねじ部１９を内部に形成した合成樹脂製のユニオンナット（押輪）３とを備えている。そして、合成樹脂製管継手は、ユニオンナット３を継手本体１に対して螺進させ、ユニオンナット３でインナーリング１３が圧入されたチューブ１２を軸芯方向に押し付けることにより、チューブ１２の接続を行うものである。
【０００４】
上記構造において良好なシール性能を確保するためには、継手本体に対するユニオンナットの締め付け量が適正な値になるように管理する必要がある。この締め付け量の管理方法としては、トルクレンチを用いて締付けトルクを測定しながら締め付ける方法、締め付け回転数を計測しながら所定回転数だけ締め付ける方法、締め付け寸法を隙間ゲージなどで繰り返し測定しながら少しずつ締め付ける方法、あるいはユニオンナットが適正な締め付け量になるとその締め付け移動を規制するリング状の締付規制部材を別途設ける方法（例えば、特許文献２参照）などが知られている。
【先行技術文献】
【特許文献】
【０００５】
【特許文献１】特開平１０−５４４８９号公報
【特許文献２】特開平１１−９４１７８号公報
【発明の概要】
【発明が解決しようとする課題】
【０００６】
加えて、近年、半導体製造装置の小型化が進み、装置内部に装備される部品の集積度が上昇している。それゆえ、作業者は、狭い空間で手探りにより部品の交換などの保守を強いられる現状がある。従来の合成樹脂製管継手は、継手本体、スリーブおよびユニオンナットの組み合わせからなり、シール性を重視する視点において、継手本体の外周およびユニオンナットの内周に形成されるねじは、一条ねじを使用していた。一条ねじを備えたユニオンナットと継手本体とは、継手が奏するシール性能の安定をもたらすが、その反面、狭い作業スペースで何度もユニオンナットを回さなくてはならないという困難な状況を作業者に強いるものであった。
【０００７】
さらに、上記締め付け量の管理方法にあっては、それぞれ以下のような問題が生じる。すなわち、締め付けトルクの管理方法では、使用する工具毎にトルク誤差が生じるため、締め付け量にばらつきが生じ易いばかりでなく、締め付け回転数の管理方法では、締め付け回転数を計測する際に基準となるユニオンナットの回転位置が手締め等により決定されるため、締め付け量にばらつきが生じ易い。さらに、隙間寸法の管理方法では、ユニオンナットの回転角に対する軸方向に進む距離が微小であるため、どの時点で締め付け完了とするかは作業者によって個人差が生じ、締め付け量にばらつきが生じ易い。また、締め付け移動を規制する管理方法では、締付規制部材を別途設ける必要があるため、部品点数が増加し、余計に保守作業を困難なものにするという問題がある。このような現状と相俟って、上記締め付け量の管理手段は、半導体製造装置等の保守作業を一層困難なものとしていた。
本発明は、前記問題点に鑑みてなされたものであり、部品点数を増加することなく、ユニオンナットの締め付け量を適正に管理することができる合成樹脂製管継手を提供することを目的とする。
【課題を解決するための手段】
【０００８】
上記目的を達成するための本発明の合成樹脂製管継手は、外周に雄ねじ部を有し、合成樹脂製のチューブの先端部に装着される合成樹脂製の継手本体と、前記継手本体の雄ねじ部に締め付けられる雌ねじ部が内周に形成された合成樹脂製のユニオンナットとを備えた合成樹脂製管継手であって、前記継手本体の外周面及び前記ユニオンナットの内周面のうちの、一方の面には径方向に突出する突起部が設けられ、他方の面には前記ユニオンナットが適正位置まで締め付けられた時点で前記突起部に係合される凸状又は凹状の係合部が設けられていることを特徴としている。
【０００９】
本発明によれば、ユニオンナットが適正位置まで締め付けられた時点で、係合部が突起部に係合されるため、作業者は、その係合によってユニオンナットの締め付け量が適正な値になったことを容易に確認することができる。これにより、ユニオンナットの締め付け管理を適切に行うことができる。また、突起部及び係合部は、継手本体の外周面及び前記ユニオンナットの内周面にそれぞれ一体に形成されているため、部品点数を増加させることなく、ユニオンナットの締め付け管理を適切に行うことができる。
【００１０】
また、前記合成樹脂製管継手は、前記雄ねじ部及び雌ねじ部が、多条ねじからなることが好ましい。この場合、継手本体の雄ねじ部にユニオンナットの雌ねじ部を締め付ける際に、雌ねじ部が１回転した時に軸方向に進む距離（リード）が大きくなるため、ユニオンナットの締め付け時間を短縮することができる。したがって、合成樹脂製のチューブによる配管施工や保守作業を短時間に且つ正確に行うことができる。
【００１１】
また、前記合成樹脂製管継手は、前記継手本体の外周に、前記係合部が前記突起部に係合されると同時に前記ユニオンナットの端面が当接する当接面が設けられていることが好ましい。この場合、ユニオンナットが適正位置まで締め付けられた時点で、係合部が突起部に係合されると同時に、ユニオンナットの端面が継手本体の当接面に当接するため、作業者は、その係合及び当接によって、ユニオンナットの締め付け量が適正な値になったことをさらに容易に確認することができる。また、ユニオンナットの端面が継手本体の当接面に当接することで、その状態からユニオンナットがさらに締め付けられるのを規制することができるため、ユニオンナットの締め付け量が適正な値となったときに、その締め付けを確実に完了させることができる。
【００１２】
また、前記係合部は、前記突起部を乗り越えることで当該突起部に係合されることが好ましい。この場合、係合部が突起部を乗り越える前と乗り越えた後とで締め付けに要するトルクが変動するため、そのトルク変動によってユニオンナットの締め付け量が適正な値になったことをさらに容易に確認することができる。また、係合部が突起部を乗り越えることで、ユニオンナットが緩むのを防止することができる。
【発明の効果】
【００１３】
本発明の合成樹脂製管継手によれば、部品点数を増加させることなく、ユニオンナットの締め付け管理を適切に行うことができる。
【図面の簡単な説明】
【００１４】
【図１Ａ】本発明の第１の実施形態に係る合成樹脂製管継手を示す断面図である。
【図１Ｂ】上記合成樹脂製管継手の要部を示す拡大断面図である。
【図２】上記合成樹脂製管継手を分解した状態を示す側面図である。
【図３】図１ＢのＡ部拡大断面図である。
【図４】本発明の第２の実施形態に係る合成樹脂製管継手における要部拡大断面図である。
【発明を実施するための形態】
【００１５】
以下、本発明の合成樹脂製管継手の実施形態を図面に基づいて説明する。
図１Ａは、本発明の第１の実施形態に係る合成樹脂製管継手を示す断面図である。また、図１Ｂは、その合成樹脂製管継手の要部を示す拡大断面図である。図１Ａにおいて、合成樹脂製管継手１は、合成樹脂（ＰＦＡ等）製のチューブ１０の先端部の外周側に装着される合成樹脂製の継手本体２と、この継手本体２の外周側に装着される合成樹脂製のユニオンナット３と、チューブ１０の先端部の内周側に装着される合成樹脂製のインナーリング１１とを備えている。
なお、本明細書においては、継手本体２の軸方向中央から軸方向両側に向かう方向を軸方向外方（軸方向外側）といい、継手本体２の軸方向両側から軸方向中央に向かう方向を軸方向内方（軸方向内側）という。
【００１６】
図１Ｂにおいて、インナーリング１１は円筒状に形成されており、その内径は流体の移動を妨げないように、チューブ１０の内径と略同一寸法に設定されている。インナーリング１１の軸方向外側端部の外周には、径方向外側に突出する膨出部１１ａが形成されている。この膨出部１１ａは、チューブ１０の先端部内に圧入され、その先端部を拡径するようになっている。膨出部１１ａの外周面は凸曲面とされており、その最大外径となる最大外径点Ｙよりも軸方向内側には、軸方向内方に向かって漸次縮径する傾斜面１１ａ１が形成されている。
【００１７】
膨出部１１ａの凸曲面は、その軸方向外端である軸方向外端点Ｘと前記最大外径点Ｙとの間が円弧面１１ａ２とされているのが好ましい。このような円弧面１１ａ２を形成することで、以下の作用効果を奏する。
例えば、膨出部１１ａの凸曲面が、軸方向外端点Ｘから最大外径点Ｙに向かって漸次拡径する傾斜面とされている場合、合成樹脂製のチューブ１０の内周面は、その高い剛性により、膨出部１１ａの軸方向外端点Ｘと最大外径点Ｙとに接触するが、これら接触部の間には接触しない場合がある。このような場合、インナーリング１１をチューブ１０内に圧入するときに、インナーリング１１の僅かな傾きにより、前記２点での接触が途切れるおそれがある。これに対して、本実施形態のように膨出部１１ａの外周面に円弧面１１ａ２を形成した場合、膨出部１１ａの軸方向外端点Ｘと最大外径点Ｙとの間で、チューブ１０の内周面を隙間なく面接触させて密着させることができる。これにより、インナーリング１１の圧入作業においてインナーリング１１の僅かな傾きが生じたとしても、膨出部１１ａの外周面とチューブ１０の内周面との接触部が途切れるのを防止することができる。したがって、膨出部１１ａの外周面とチューブ１０の内周面との間のシール性能を高めることができるため、これらの間に流体が浸入するのを防止することができる。
【００１８】
インナーリング１１の軸方向内側端部には、チューブ１０の先端部から軸方向内方に突出する円筒状の突出部１１ｂが形成されている。突出部１１ｂの外径は、チューブ１０の先端の外径と略同一寸法に設定されている。また、インナーリング１１の軸方向内側端部には、突出部１１ｂの径方向内方において軸方向内方に隆起する環状の隆起部１１ｃが形成されている。隆起部１１ｃの外周面は、その軸方向内側端から軸方向外側に向かって漸次拡径するテーパ面１１ｃ１とされている。
【００１９】
継手本体２は、ＰＶＣ、ＰＰ、ＰＥ又はフッ素樹脂（ＰＦＡ又はＰＴＦＥ等）の合成樹脂材料によって、円筒状に形成されている。継手本体２の内径は、インナーリング１１の内径と略同一寸法に設定されている。継手本体２の軸方向外端部には、インナーリング１１が圧入されたチューブ１０の先端部を、継手本体２に挿入するための受口部２１が形成されている。受口部２１の外周には、三条ねじ（多条ねじ）からなる雄ねじ部２２が形成されている（図２も参照）。
【００２０】
継手本体２には、受口部２１の軸方向内端部よりも径方向内方において、円筒状のシール筒部２５が形成されている。このシール筒部２５の外周面と、これに対向する受口部２１の内周面との間には、インナーリング１１の突出部１１ｂが挿入される環状溝２６が形成されている。前記突出部１１ｂの内周面及び外周面のうちの少なくとも一方の周面が、当該周面に対向する環状溝２６の内周面及び外周面のうちの少なくとも一方の周面に嵌合又は当接することで、流体をシールする内側径外シール部７が形成される。
【００２１】
シール筒部２５の軸方向外端部の内周面には、軸方向内側から軸方向外端に向かって漸次拡径するテーパ面２５ａが形成されている。このテーパ面２５ａが、インナーリング１１の隆起部１１ｃのテーパ面１１ｃ１に当接して面接触することで、流体をシールする内側径内シール部８が形成される。
【００２２】
受口部２１の軸方向外端部の内周面には、軸方向外端から軸方向内方に向かって漸次縮径する傾斜面２１ａが形成されている。この傾斜面２１ａは、インナーリング１１の膨出部１１ａの傾斜面１１ａ１と略平行であって、且つこの傾斜面１１ａ１に密着されたチューブ１０の外周面と離間した状態を維持するように形成されている。
このように、受口部２１に傾斜面２１ａが形成されることで、チューブ１０に圧入されたインナーリング１１を、継手本体２の受口部２１から軸方向内方へ移動させたときに、インナーリング１１の傾斜面１１ａ１を密着して覆うチューブ１０の外周面が、継手本体２の傾斜面２１ａと接触するのを防止することができる。これにより、インナーリング１１の軸方向内方への移動は、継手本体２の受口部２１によって阻害されることはないため、内側径外シール部７における環状溝２６と突出部１１ｂとを適切な嵌合状態（当接状態）にすることができるとともに、内側径内シール部８におけるシール筒部２５のテーパ面２５ａと隆起部１１ｃのテーパ面１１ｃ１との当接状態を適切に維持することができる。したがって、受口部２１に傾斜面２１ａが形成されることにより、内側径外シール部７及び内側径内シール部８のシール性能を適切に発揮させることができる。
【００２３】
なお、本実施形態では、受口部２１の傾斜面２１ａは、チューブ１０の外周面と離間した状態で維持されているが、チューブ１０の外周面に密着させるようにしても良い。この場合、合成樹脂製管継手１は、上記離間した場合に比べて耐振性に優れたものとなる。
また、本実施形態では、インナーリング１１の膨出部１１ａの傾斜面１１ａ１に密着されたチューブ１０の外周面に対向する位置に、受口部２１の軸方向外端部（傾斜面２１ａ）が存在しているが、この軸方向外端部が存在しない構成であっても良い。
【００２４】
ユニオンナット３は、継手本体２と同様に、ＰＶＣ、ＰＰ、ＰＥ又はフッ素樹脂（ＰＦＡ又はＰＴＦＥ等）の合成樹脂材料によって、円筒状に形成されている。ユニオンナット３の内径はチューブ１０の外径よりもわずかに大きく形成されており、チューブ１０の先端部に継手本体２を装着する際に、ユニオンナット３にチューブ１０の先端部が挿入されるようになっている。
【００２５】
図２は、その合成樹脂製管継手を分解した状態を示す側面図である。
図２において、ユニオンナット３は、軸方向外端部において径方向内方に突出して形成された押圧部３１と、軸方向中央部の内周に形成された三条ねじ（多条ねじ）からなる雌ねじ部３２と、軸方向内端部に形成された突出部３３とを有している。
押圧部３１の内周面には、チューブ１０が挿入される挿入口３１ａと、この挿入口３１ａの軸方向内側端から軸方向内方に向かうに従って漸次拡径するテーパ面からなる押圧面３１ｂとが形成されている。
【００２６】
雌ねじ部３２は、継手本体２の雄ねじ部２２に締め付け可能である。したがって、チューブ１０に圧入されたインナーリング１１の突出部１１ｂを、継手本体２の受口部２１に挿入した状態で、ユニオンナット３を継手本体２の軸方向内方に螺進させることで、チューブ１０を継手本体２に接続することができる。
その際、ユニオンナット３の押圧部３１が、インナーリング１１の円弧面１１ａ２を覆うチューブ１０の外周面を押圧するようになっている。したがって、ユニオンナット３の雌ねじ部３２を継手本体２の雄ねじ部２２に締め付け、ユニオンナット３を軸方向内方へ螺進させると、前記内側径外シール部７及び内側径内シール部８が形成されるとともに、ユニオンナット３の押圧部３１の押圧面３１ｂがインナーリング１１の円弧面１１ａ２を覆うチューブ１０の外周面に面接触することで、流体をシールする外側シール部９が形成される。
【００２７】
これにより、インナーリング１１の円弧面１１ａ２と、これに対向するチューブ１０の内周面との密着性を向上させることができる。また、ユニオンナット３の押圧面３１ｂがチューブ１０の外周面に面接触するため、ユニオンナット３の螺進によりチューブ１０及びインナーリング１１を継手本体２の軸方向内方に押し込むときに、インナーリング１１に局所的な力が集中するのを防止することができる。これにより、インナーリング１１がチューブ１０の径方向内方に倒れこむことが無いので、インナーリング１１の倒れ込みに起因して流体の移動を妨げたり、液溜まりが発生するのを防止することができ、優れた液置換性を奏する。
さらに、インナーリング１１の円弧面１１ａ２を覆うチューブ１０の外周面がユニオンナット３の押圧面３１ｂに圧接されることで、チューブ１０の抜け出しを防止することができる。
【００２８】
また、押圧面３１ｂは、円弧面１１ａ２を覆うチューブ１０の外周面に面接触するため、上記特許文献１の図１に示すユニオンナットの角部（押圧エッジ３Ｃ）がチューブに接触する構成に比べて、ユニオンナット３によるチューブ１０の押圧部に発生する応力集中を緩和することができる。これにより、クリープ現象の発現を遅らせることが可能となり、長期間にわたる優れたシール性能を維持することが可能となる。なお、押圧面３１ｂは、テーパ面とされているが、円弧面１１ａ２を覆うチューブ１０の外周面に面接触する凹状の円弧面として構成してもよい。
【００２９】
なお、チューブ１０の先端部に対する継手本体２の装着構造は、上述のようにインナーリング１１を用いたインナーリングタイプ以外に、フレアタイプやフェルールタイプなど他の装着構造としてもよい。すなわち、外周に雄ねじ部が形成された継手本体内部にチューブが挿入された状態で、内周に雌ねじ部が形成されたユニオンナットが継手本体の雄ねじ部に螺着され、ユニオンナットの螺進によりチューブを継手本体に圧接固定してシール部を形成する構造を備えた継手に共通して採用することができる。また、前記装着構造は、ユニオンナットの螺進によりチューブが外嵌されてフェルールを縮径させチューブを縮径変形させることで抜け止めを行う継手など、広くはユニオンナットの螺進により継手としての機能を創出する合成樹脂製管継手におけるユニオンナットの緩み止めとして好適に用いることができる。
【００３０】
図３は、図１ＢのＡ部拡大断面図である。図１Ｂ及び図３に示すように、継手本体２の外周面２３と、ユニオンナット３の突出部３３の内周面３３ａとが互いに対向する箇所において、継手本体２の外周面２３には径方向に突出する突起部５が形成され、ユニオンナット３の内周面３３ａには突起部５に係合される係合部６が形成されている。
【００３１】
突起部５は、継手本体２の外周面２３の雄ねじ部２２よりも軸方向内方において、ユニオンナット３の内周面３３ａ側に向けて径方向外側に突出するように凸状に一体形成されている。また、突起部５は、図２に示すように、継手本体２の外周面２３の全周に亘って連続して形成されている。
【００３２】
図３において、係合部６は、ユニオンナット３の内周面３３ａにおいて、継手本体２の外周面２３に向けて径方向内側に突出するように凸状に一体形成されている。また、係合部６は、図２に示すように、ユニオンナット３の内周面３３ａの周方向に不連続に形成されるように、所定間隔をあけて複数（本実施形態では６つ）形成されている。さらに、係合部６は、雄ねじ部２２に雌ねじ部３２を締め付けたときに、ユニオンナット３が適正位置まで締め付けられた時点で、図３に示すように、継手本体２の突起部５に係合されるようになっている。具体的には、係合部６は、突起部５をその軸方向外側から軸方向内側に向かって乗り越えることで、係合部６の軸方向外側の端面６ａが、突起部５の軸方向内側の端面５ａに当接して係合される。
【００３３】
継手本体２の外周には、突起部５よりも軸方向内側において外周面２３から径方向外側に延びる当接面２４が全周に亘って一体形成されている。この当接面２４には、係合部６が突起部５に係合されると同時に、ユニオンナット３の軸方向内側の端面３３ｂが当接するようになっている。
【００３４】
上記のように構成された本実施形態の合成樹脂製管継手１によれば、継手本体２の雄ねじ部２２にユニオンナット３の雌ねじ部３２を締め付けると、その締め付け量が適正な値に近づくにつれて締め付け抵抗が徐々に増加する。そして、その締め付け抵抗に抗してユニオンナット３をさらに締め付けると、ユニオンナット３の内周面３３ａに形成された係合部６が継手本体２の外周面２３に形成された突起部５を乗り越えて係合される。この突起部５を乗り越える際に、ユニオンナット３の締め付けに要するトルクが急増し、突起部５を乗り越えた時点でユニオンナット３の締め付けに要するトルクが急減するので、作業者は、係合部６が突起部５に係合されてユニオンナット３の締め付け量が適正な値になったことを容易に確認することができる。これにより、ユニオンナット３の締め付け管理を適切に行うことができる。また、突起部５及び係合部６は、継手本体２の外周面２３及びユニオンナット３の内周面３３ａにそれぞれ一体に形成されているため、狭い場所においても合成樹脂製管継手１の施工を容易に行うことができ、また部品点数を増加させることなく、ユニオンナット３の締め付け管理を容易且つ適切に行うことができる。さらに、係合部６は、突起部５を乗り越えることで突起部５に係合されるため、ユニオンナット３が緩むのを防止することができる。これにより、合成樹脂製管継手１は、安定したシール性能を発揮することができる。
【００３５】
また、継手本体２の雄ねじ部２２及びユニオンナット３の雌ねじ部３２は、多条ねじ（三条ねじ）からなるため、雄ねじ部２２に雌ねじ部３２を締め付ける際に、雌ねじ部３２が１回転した時に軸方向に進む距離（リード）が大きくなる。これにより、ユニオンナット３の締め付け時間を短縮することができるため、合成樹脂製のチューブ１０による配管施工や保守作業を短時間に且つ正確に行うことができる。
【００３６】
また、ユニオンナット３が適正位置まで締め付けられた時点で、係合部６が突起部５に係合されると同時に、ユニオンナット３の端面３３ｂが継手本体２の当接面２４に当接するため、作業者は、その係合及び当接によって、ユニオンナット３の締め付け量が適正な値になったことをさらに容易に確認することができる。また、ユニオンナット３の端面３３ｂが継手本体２の当接面２４に当接することで、その状態からユニオンナット３がさらに締め付けられるのを規制することができるため、ユニオンナット３の締め付け量が適正な値となったときに、その締め付けを確実に完了させることができる。
【００３７】
図４は、本発明の第２の実施形態に係る合成樹脂製管継手における要部拡大断面図である。本実施形態の合成樹脂製管継手１は、係合部６の構成が異なる点で第１の実施形態と相違する。具体的には、本実施形態の係合部６は、ユニオンナット３の内周面３３ａにおいて、径方向外側に窪むように凹状に一体形成されている。また、係合部６は、ユニオンナット３の内周面３３ａの全周に亘って連続して形成されている。これにより、雄ねじ部２２に雌ねじ部３２を締め付けたときに、その締め付け量が適正な値になると、図４に示すように、ユニオンナット３の係合部６が継手本体２の突起部５に嵌合して係合される。なお、本実施形態のその他の構成については、上記実施形態と同様であるためその説明を省略する。
【００３８】
以上、本実施形態の合成樹脂製管継手１においても、ユニオンナット３が適正位置まで締め付けられた時点で、ユニオンナット３の内周面３３ａに形成された係合部６が継手本体２の外周面２３に形成された突起部５を乗り越えて係合されることで、作業者は、ユニオンナット３の締め付け量が適正な値になったことを容易に確認することができ、ユニオンナット３の締め付け管理を適切に行うことができる。
【００３９】
なお、本発明は上記実施形態に限定されるものではない。例えば、上記第１の実施形態では、突起部５を周方向に連続して形成し、係合部６を周方向に不連続に形成しているが、係合部６を連続して形成してもよい。また、突起部５を不連続に形成し、係合部６を連続して形成してもよい。
さらに、上記第１の実施形態では、継手本体２の突出部分を突起部５とし、ユニオンナット３側の突出部分を係合部６としているが、継手本体２の突出部分を係合部６とし、ユニオンナット３側の突出部分を突起部５としてもよい。
【００４０】
また、上記第２の実施形態では、凸状の突起部５を継手本体２側に形成し、凹状の係合部６をユニオンナット３側に形成しているが、凸状の突起部５をユニオンナット３側に形成し、凹状の係合部６を継手本体２側に形成してもよい。
また、上記第２の実施形態では、突起部５及び係合部６をいずれも周方向に連続して形成しているが、突起部５を不連続に形成し、係合部６を連続して形成してもよい。
【００４１】
また、上記第１及び第２の実施形態では、継手本体２の雄ねじ部２２及びユニオンナット３の雌ねじ部３２は、三条ねじからなるが、一条ねじからなるものでもよい。但し、締め付け管理を効率的に行うという観点では、二条ねじ以上の多条ねじからなるものが好ましい。
【符号の説明】
【００４２】
１    合成樹脂製管継手
２    継手本体
３    ユニオンナット
５    突起部
６    係合部
１０    チューブ
２２    雄ねじ部
２３    外周面
２４    当接面
３２    雌ねじ部
３３ａ    内周面
【図１Ａ】
2014219060.tif 000003
【図１Ｂ】
2014219060.tif 000004
【図２】
2014219060.tif 000005
【図３】
2014219060.tif 000006
【図４】
2014219060.tif 000007